(57)【特許請求の範囲】
【請求項１】
生物に装着される物品又は生物の体内に取り込まれる物品と、
前記物品を収容する収容部材と、
前記収容部材の外表面の少なくとも一部に重なるように設けられ、抗菌剤又は抗ウイルス剤を有する外層と、
を備え、
前記収容部材は樹脂から形成されており、
前記収容部材同士を接合する接合部を複数有し、
各接合部において前記収容部材同士が熱溶着されており、
前記収容部材の厚さ方向に沿って見た場合に、前記外層は、複数の前記接合部のいずれとも重なっていないことを特徴とする物品収容体。
【請求項２】
請求項１に記載の物品収容体であって、
前記収容部材の内表面に、前記抗菌剤又は抗ウイルス剤が設けられていないことを特徴とする物品収容体。
【請求項３】
請求項１又は２に記載の物品収容体であって、
前記収容部材は、厚さ方向を有し、
前記収容部材は、前記収容部材が前記抗菌剤又は抗ウイルス剤を備えることを示す図柄を有し、
前記外層は、前記厚さ方向において、前記図柄より外側に設けられていることを特徴とする物品収容体。
【請求項４】
請求項３に記載の物品収容体であって、
互いに直交する上下方向、左右方向及び前後方向を有し、
前記図柄は、前記物品収容体の上下方向における中央より上側に設けられていることを特徴とする物品収容体。
【請求項５】
請求項３に記載の物品収容体であって、
互いに直交する上下方向、左右方向及び前後方向を有し、
前記図柄は、前記物品収容体の上下方向における中央より下側に設けられていることを特徴とする物品収容体。
【請求項６】
請求項１から５のいずれか１項に記載の物品収容体であって、
前記外層は、前記外表面の少なくとも一部を保護するための塗料を有することを特徴とする物品収容体。
【請求項７】
請求項１から５のいずれか１項に記載の物品収容体であって、
前記収容部材は、前記外表面に、前記収容部材の外側から貼付されたシート部材を有し、
前記シート部材の少なくとも一部が、前記外層であることを特徴とする物品収容体。
【請求項８】
請求項７に記載の物品収容体であって、
前記シート部材は、前記収容部材より坪量が大きいことを特徴とする物品収容体。
【請求項９】
請求項７又は８に記載の物品収容体であって、
前記シート部材には、前記シート部材を構成する材料に、前記抗菌剤又は抗ウイルス剤が混ぜられていることを特徴とする物品収容体。
【請求項１０】
請求項７から９のいずれか１項に記載の物品収容体であって、
前記収容部材は、前記収容部材が前記抗菌剤又は抗ウイルス剤を備えることを示す図柄を有し、
前記収容部材の厚さ方向に沿って見た場合に、前記図柄と前記シート部材とが重ならないことを特徴とする物品収容体。
【請求項１１】
請求項７から９のいずれか１項に記載の物品収容体であって、
互いに直交する上下方向、左右方向及び前後方向を有し、
前記収容部材は、取っ手領域を備え、
前記接合部は、前記左右方向に沿っており、
前記取っ手領域は、前記物品より上側で、且つ前記上下方向における前記接合部同士の間に設けられており、
前記シート部材が、前記取っ手領域に設けられていることを特徴とする物品収容体。
【請求項１２】
請求項１１に記載の物品収容体であって、
前記収容部材は、前記収容部材が前記抗菌剤又は抗ウイルス剤を備えることを示す図柄を有し、
前記図柄が、前記取っ手領域に設けられていることを特徴とする物品収容体。
【請求項１３】
請求項１１に記載の物品収容体であって、
前記収容部材は、前記収容部材が前記抗菌剤又は抗ウイルス剤を備えることを示す図柄を有し、
前記図柄が、前記取っ手領域以外の領域に設けられていることを特徴とする物品収容体。
【請求項１４】
請求項１から１３のいずれか１項に記載の物品収容体であって、
前記抗菌剤又は抗ウイルス剤は、無機化合物であることを特徴とする物品収容体。
【請求項１５】
請求項１４に記載の物品収容体であって、
前記収容部材は、印刷が施された印刷領域を有し、
前記収容部材の厚さ方向において、前記印刷領域の外側に隣接して前記外層が設けられていることを特徴とする物品収容体。
【請求項１６】
請求項１５に記載の物品収容体であって、
前記収容部材は、印刷が施された印刷領域と、印刷が施されていない非印刷領域を有し、
前記収容部材の底面は、前記非印刷領域であって、且つ、前記外層が設けられていない領域を有することを特徴とする物品収容体。
【請求項１７】
請求項１から１６のいずれか１項に記載の物品収容体であって、
前記物品が、接着剤を備える着用物品であることを特徴とする物品収容体。
【発明の詳細な説明】
【技術分野】
【０００１】
本発明は、物品収容体に関する。
【背景技術】
【０００２】
物品を包装する包材への抗菌性が望まれている。例えば、特許文献１には、食品等に使用する包装材として、抗菌フィルムが開示されている。
【先行技術文献】
【特許文献】
【０００３】
【特許文献１】特開２０１９−８１８６２号公報
【発明の概要】
【発明が解決しようとする課題】
【０００４】
特許文献１の抗菌フィルムには、抗菌成分を含有し、包装時の最内層に抗菌成分が存在する構成であるため、包装された物品に抗菌成分が接触することがある。これに対し、包装された物品に抗菌成分が直接触れないことが望まれている。
【０００５】
本発明は、上記のような問題に鑑みてなされたものであって、その目的とするところは、物品収容体の抗菌性又は抗ウイルス性を向上させつつ、収容される物品の安全性を向上させることにある。
【課題を解決するための手段】
【０００６】
上記目的を達成するための主たる発明は、生物に装着される物品又は生物の体内に取り込まれる物品と、前記物品を収容する収容部材と、前記収容部材の外表面の少なくとも一部に重なるように設けられ、抗菌剤又は抗ウイルス剤を有する外層と、を備え、前記収容部材は樹脂から形成されており、前記収容部材同士を接合する接合部を複数有し、各接合部において前記収容部材同士が熱溶着されており、前記収容部材の厚さ方向に沿って見た場合に、前記外層は、複数の前記接合部のいずれとも重なっていないことを特徴とする物品収容体である。  本発明の他の特徴については、本明細書及び添付図面の記載により明らかにする。
【発明の効果】
【０００７】
本発明によれば、物品収容体の抗菌性又は抗ウイルス性を向上させつつ、収容される物品の安全性を向上させることができる。
【図面の簡単な説明】
【０００８】
【図１】図１は、物品収容体１００の斜視図である。
【図２】図２は、おむつ１０の展開且つ伸長状態の概略平面図である。
【図３】図３は、装着状態のおむつ１０の概略斜視図である。
【図４】図４は、第１実施形態の展開状態の収容部材２０である。
【図５】図５Ａは、図４中のＡ−Ａにおける断面の構成を説明する模式図である。図５Ｂは、図４中のＢ−Ｂにおける断面の構成を説明する模式図である。
【図６】図６は、第２実施形態の展開状態の収容部材２０である。
【図７】図７Ａは、図６中のＡ−Ａにおける断面の構成を説明する模式図である。図７Ｂは、図６中のＢ−Ｂにおける断面の構成を説明する模式図である。
【図８】図８は、第３実施形態の展開状態の収容部材２０である。
【発明を実施するための形態】
【０００９】
本明細書及び添付図面の記載により、少なくとも以下の事項が明らかとなる。
生物に装着される物品又は生物の体内に取り込まれる物品と、前記物品を収容する収容部材と、前記収容部材の外表面の少なくとも一部に重なるように設けられ、抗菌剤又は抗ウイルス剤を有する外層と、を備えることを特徴とする物品収容体である。
【００１０】
このような物品収容体によれば、収容部材の外表面の少なくとも一部に抗菌剤又は抗ウイルス剤を有する外層を備えるから、人が触れやすい部分の抗菌性又は抗ウイルス性を向上させることができて、安心・安全な物品を提供することができる。
【００１１】
かかる物品収容体であって、前記収容部材の内表面に、前記抗菌剤又は抗ウイルス剤が設けられていないことが望ましい。
【００１２】
このような物品収容体によれば、収容される物品に抗菌剤又は抗ウイルス剤が付着する恐れを軽減させるため、物品の安全性を向上させることができる。
【００１３】
かかる物品収容体であって、前記収容部材は、厚さ方向を有し、前記収容部材は、前記収容部材が前記抗菌剤又は抗ウイルス剤を備えることを示す図柄を有し、前記外層は、前記厚さ方向において、前記図柄より外側に設けられていることが望ましい。
【００１４】
このような物品収容体によれば、抗菌剤又は抗ウイルス剤を備えることを示す図柄によって、抗菌性又は抗ウイルス性を認識させやすくし、収容部材の外側の抗菌性又は抗ウイルス性を向上させつつ、収容される物品に抗菌剤又は抗ウイルス剤が付着する恐れを軽減させるため、物品の安全性を向上させることができる。
【００１５】
かかる物品収容体であって、互いに直交する上下方向、左右方向及び前後方向を有し、前記図柄は、前記物品収容体の上下方向における中央より上側に設けられていることが望ましい。
【００１６】
このような物品収容体によれば、一般的に物品収容体の取っ手領域は、物品収容体の上側に設けられているため、抗菌剤又は抗ウイルス剤を備えることを示す図柄を、手で掴む物品収容体の上側に設けることで、図柄が認識されやすくなる。
【００１７】
かかる物品収容体であって、互いに直交する上下方向、左右方向及び前後方向を有し、前記図柄は、前記物品収容体の上下方向における中央より下側に設けられていることが望ましい。
【００１８】
このような物品収容体によれば、通常、物品収容体に収容された物品は、上部から取り出され、収容部材は、物品の取り出しに伴い、その形状が変形しやすいところ、物品収容体の下側に抗菌剤又は抗ウイルス剤を備えることを示す図柄を設けることで、物品を使い切るまで抗菌剤又は抗ウイルス剤を備えることを示す図柄を視認しやすくなる。
【００１９】
かかる物品収容体であって、前記外層は、前記外表面の少なくとも一部を保護するための塗料を有することが望ましい。
【００２０】
このような物品収容体によれば、外層の塗料によって収容部材を保護しつつ、収容部材に抗菌機能又は抗ウイルス機能を付与することができる。
【００２１】
かかる物品収容体であって、前記収容部材は、前記外表面に、前記収容部材の外側から貼付されたシート部材を有し、前記シート部材の少なくとも一部が、前記外層であることが望ましい。
【００２２】
このような物品収容体によれば、シート部材を設けた部分の収容部材の強度を向上させつつ、抗菌機能又は抗ウイルス機能を付与することができる。
【００２３】
かかる物品収容体であって、前記シート部材は、前記収容部材より坪量が大きいことが望ましい。
【００２４】
このような物品収容体によれば、抗菌機能又は抗ウイルス機能を付与しつつ、シート部材を設けた部分の収容部材の強度をより向上させることができる。
【００２５】
かかる物品収容体であって、前記シート部材には、前記シート部材を構成する材料に、前記抗菌剤又は抗ウイルス剤が混ぜられていることが望ましい。
【００２６】
このような物品収容体によれば、安全・安心な物品を提供し、物品収容体の抗菌性又は抗ウイルス性を向上させることができる。
【００２７】
かかる物品収容体であって、前記収容部材は、前記収容部材が前記抗菌剤又は抗ウイルス剤を備えることを示す図柄を有し、前記収容部材の厚さ方向に沿って見た場合に、前記図柄と前記シート部材とが重ならないことが望ましい。
【００２８】
このような物品収容体によれば、図柄がシート部材によって視認されにくくなる恐れを軽減することができる。
【００２９】
かかる物品収容体であって、互いに直交する上下方向、左右方向及び前後方向を有し、前記収容部材は、取っ手領域、及び、前記収容部材同士を接合する接合部を複数備え、前記接合部は、前記左右方向に沿っており、前記取っ手領域は、前記物品より上側で、且つ前記上下方向における前記接合部同士の間に設けられており、前記シート部材が、前記取っ手領域に設けられていることが望ましい。
【００３０】
このような物品収容体によれば、手で掴む部分の抗菌性又は抗ウイルス性を向上させつつ、取っ手領域の強度を向上させることができる。
【００３１】
かかる物品収容体であって、前記収容部材は、前記収容部材が前記抗菌剤又は抗ウイルス剤を備えることを示す図柄を有し、前記図柄が、前記取っ手領域に設けられていることが望ましい。
【００３２】
このような物品収容体によれば、取っ手領域は、手で掴む際に視認されやすい部分であるため、抗菌剤又は抗ウイルス剤を備えることを示す図柄が視認されやすくなる。
【００３３】
かかる物品収容体であって、前記収容部材は、前記収容部材が前記抗菌剤又は抗ウイルス剤を備えることを示す図柄を有し、前記図柄が、前記取っ手領域以外の領域に設けられていることが望ましい。
【００３４】
このような物品収容体によれば、取っ手領域は、手で掴む部分であるため、収容部材が変形しやすいため、抗菌剤又は抗ウイルス剤を備えることを示す図柄が収容部材の変形によって視認されなくなる恐れを軽減することができる。
【００３５】
かかる物品収容体であって、前記収容部材同士を接合する接合部を複数有し、前記収容部材の厚さ方向に沿って見た場合に、前記接合部の少なくとも１つと、前記外層とが重ならないことが望ましい。
【００３６】
このような物品収容体によれば、抗菌剤又は抗ウイルス剤によって、接合部の接合強度が低下する恐れを軽減させることができる。
【００３７】
かかる物品収容体であって、前記抗菌剤又は抗ウイルス剤は、無機化合物であることが望ましい。
【００３８】
このような物品収容体によれば、抗菌性又は抗ウイルス性を向上させつつ、人や物品に対する安全性を向上させることができる。
【００３９】
かかる物品収容体であって、前記収容部材は、印刷が施された印刷領域を有し、前記収容部材の厚さ方向において、前記印刷領域の外側に隣接して前記外層が設けられていることが望ましい。
【００４０】
このような物品収容体によれば、無機化合物の抗菌剤又は抗ウイルス剤によって印刷領域に悪影響を及ぼす恐れを軽減させることができる。
【００４１】
かかる物品収容体であって、前記収容部材は、印刷が施された印刷領域と、印刷が施されていない非印刷領域を有し、前記収容部材の底面は、前記非印刷領域であって、且つ、前記外層が設けられていない領域を有することが望ましい。
【００４２】
このような物品収容体によれば、人が触れにくい部分に外層を設けないことで、抗菌剤又は抗ウイルス剤の使用量を削減することができ、製造コストを削減することができる。
【００４３】
かかる物品収容体であって、前記収容部材が樹脂で形成されていることが望ましい。
【００４４】
このような物品収容体によれば、収容部材の外表面に設けられた抗菌剤又は抗ウイルス剤が物品に付着する恐れを軽減させることができる。
【００４５】
かかる物品収容体であって、前記物品が、接着剤を備える着用物品であることが望ましい。
【００４６】
このような物品収容体によれば、収容部材の外表面に設けられた抗菌剤又は抗ウイルス剤と、着用物品の接着剤とが互いに悪影響を及ぼす恐れを軽減させることができる。
【００４７】
＝＝＝第１実施形態＝＝＝
＜＜おむつ収容体１００＞＞
以下、本実施形態にかかる物品収容体の一例として、吸収性物品である使い捨ておむつの収容体（「おむつ収容体」ともいう。）を例に挙げて説明する。なお、物品収容体に収容される物品は、使い捨ておむつ等の吸収性物品に限られず、人間や動物等の生物に装着される物品や、人間や動物等の生物の体内に取り込まれる物品であってもよい。人間や動物等の生物に装着される物品としては、例えば、使い捨ておむつ等の吸収性物品や衣服（生理用ショーツを含む）等の着用物品であり、生物に直接又は間接に接触して用いられる物品をいう。また、人間や動物等の生物等の体内に取り込まれる物質としては、食品、ペットフード、医薬品等の、生物に飲食される物質をいう。
【００４８】
図１は、おむつ収容体１００の斜視図である。おむつ収容体１００は、複数のテープ型の使い捨ておむつ１０（以下、単に「おむつ１０」ともいう。）と、複数のおむつ１０を収容する収容部材２０とを有する。おむつ１０は、収容部材２０に収容された状態で流通されるため、衛生面が確保されている。図１に示すように、収容部材２０におむつ１０が収容された状態（以下、「収容状態」ともいう。）のおむつ収容体１００は、複数の面２１を有する略六面体であるが、これに限られず、他の多面体であってもよい。また、おむつ１０の着用者、おむつ１０を着用させる者、又はおむつ収容体１００を扱う者を「使用者等」という。
【００４９】
＜＜おむつ１０＞＞
図２は、おむつ１０の展開且つ伸長状態の概略平面図である。図３は、装着状態のおむつ１０の概略斜視図である。本実施形態では、収容部材２０に収容される吸収性物品（物品）として、テープ型の使い捨ておむつ１０を例示するが、これに限定されない。例えば、吸収性物品としては、パンツ型の使い捨ておむつや、パッドタイプの使い捨ておむつ、生理用ナプキン、軽失禁パッド、吸収パッド等でもよい。
【００５０】
おむつ１０は、着用者の腹側を覆う腹側胴回り部１０Ａ、着用者の背側を覆う背側胴回り部１０Ｂ、着用者の股下に配置される股下部１Ｃを備える。おむつ１０は、尿等の排泄物を吸収する吸収性コア１２を備える吸収体１１と、吸収体１１を肌側から覆う液透過性の肌側シート１３と、吸収体１１の非肌側から覆う液不透過性の防漏シート１４と、おむつ１０の外形形状をなす非肌側シート１５と、肌側シート１３上に、横方向に一対並んで設けられた一対のサイドシート１６と、ファスニングテープ１７とを有している。また、おむつ１０は、適宜、伸縮部材を有するが、説明は省略する。各シートや伸縮部材等の部材は、それぞれ適宜ホットメルト接着剤等の接着剤による接着や熱又は圧力等の溶着で固定されている。
【００５１】
図２に示す展開状態のおむつ１０を着用者にあてがいつつ、縦方向の略中央で２つ折りし、背側胴回り部１０Ｂ側の一対の側端部を内側に折り返し、ファスニングテープ１７を腹側胴回り部１０Ａに係止することで、図３に示すような胴回り開口部ＢＨと一対の脚回り開口部ＬＨを備えた装着状態のおむつ１０となる。
【００５２】
＜＜収容部材２０＞＞
収容部材２０は、樹脂（プラスチック）フィルムで形成されており、具体的には、ポリエチレン（ＰＥ）からなる樹脂フィルム（以下、単に「フィルム」ともいう。）で形成されている。収容部材２０の表面の平滑度は高く、また、防水性を有することが好ましい。なお、収容部材２０を構成する材料としては、ポリエチレン（ＰＥ）に限らず、ポリプロピレン（ＰＰ）やポリエチレンテレフタレート（ＰＥＴ）からなる合成樹脂フィルムから形成されていてもよい。
【００５３】
収容状態の収容部材２０は、上下方向、左右方向、及び前後方向を有し、収容部材２０の上下方向と左右方向は、それぞれおむつ収容体１００の上下方向、左右方向、前後方向と同じである。また、おむつ１０を収容した状態又は収容していない状態に関わらず、収容部材２０の各面２１は、厚さ方向を有する。各面２１のうち、おむつ１０が収容される側が内側で、内側とは反対で、外部に露出している側が外側である。
【００５４】
収容部材２０の各面２１のうち、おむつ収容体１００の商品名２３が表示された面が正面２１Ａである。この正面２１Ａと前後方向において対向する面が、背面２１Ｃであり、前後方向において、正面２１Ａと背面２１Ｃとの間に一対の側面２１Ｂ、２１Ｂが設けられている。また、おむつ収容体１００を平らな場所に載置した状態で、どの角度からも視認できない面が底面２１Ｅであり、この底面２１Ｅと上下方向において対向する面が、上面２１Ｄである。
【００５５】
おむつ収容体１００は、収容部材２０同士を接合する複数の接合部２２を備えることで、収容部材２０内におむつ１０を保持している。各接合部２２は、例えば、熱と圧力を加える熱溶着によって、収容部材２０同士を接合させているが、これに限らず、超音波接合や接着剤等、任意の方法で接合することができる。図１に示すように、本実施形態では、左右方向に沿った複数の接合部２２を有し、おむつ収容体１００の複数の接合部２２うち、収容されたおむつ１０より上側に２つの接合部２２ａ、２２ｂを、おむつ１０より下側に１つの接合部２２ｃを有している。
【００５６】
上面２１Ｄを構成する収容部材２０のうち、接合部２２ａ及び接合部２２ｂは、正面２１Ａ側のフィルムと背面２１Ｃ側の収容部材２０のフィルムを重ね合わせ、さらに、正面２１Ａ側からシート部材３０を収容部材２０に重ね合わせた状態で、接合している。つまり、接合部２２ａ及び接合部２２ｂは、収容部材２０同士を接合すると同時に、シート部材３０を収容部材２０に接合させている。接合部２２ａ及び接合部２２ｂは、収容部材２０の上端部で、収容されたおむつ１０より上側に設けられている。接合部２２ｂは、接合部２２ａより下側に設けられ、接合部２２ａと接合部２２ｂとは、上下方向において所定間隔だけ離間し、上下方向における接合部２２ａと接合部２２ｂとの間が取っ手領域Ｈである。
【００５７】
取っ手領域Ｈには、取っ手部を形成するための切り取り線Ｌが設けられている。切り取り線Ｌは、間欠的にスリットが形成された部分であり、この切り取り線Ｌに沿って収容部材２０を裂くと、略楕円形状の開口からなる取っ手部が形成される。使用者等は、取っ手部の開口に手を入れることで、取っ手領域Ｈを掴みやすくなるため、おむつ収容体１００を持ち運びやすくなる。このように、持ち運ぶ際に使用者等が手で掴むための領域を取っ手領域Ｈという。取っ手領域Ｈは、開口が形成され、手で掴まれ、収容部材２０を引っ張り上げられる部分であるため、変形しやすく、破損しやすい。そのため、収容部材２０とは異なる矩形状のシート部材３０を、取っ手領域Ｈの収容部材２０の少なくとも一方の面（本実施形態では、正面側）に貼り合わせることで、取っ手領域Ｈの強度を向上させている。なお、シート部材３０は、取っ手領域Ｈの一方側の面だけに貼り合わせるのではなく、両方の面（正面側及び背面側）に貼り合わせてもよい。
【００５８】
シート部材３０は、図柄や着色が施されていない、無地で白色の樹脂フィルム等のシート部材であり、収容部材２０と同じ材質でもよく、収容部材２０と異なる材質のものでもよい。例えば、ポリエチレン（ＰＥ）からなる樹脂フィルムや、ポリプロピレン（ＰＰ）、ポリエチレンテレフタレート（ＰＥＴ）等からなる合成樹脂フィルムから形成されていてもよい。シート部材３０は、略矩形形状であり、上下方向の長さは、取っ手領域Ｈの上下方向の長さ以上である。左右方向の長さは、切り取り線Ｌの左右方向の長さより長く、取っ手領域Ｈの左右方向の長さより短い。なお、シート部材３０に、任意の図柄や着色を施してもよく、シート部材３０の形状も矩形形状に限らず、任意の形状とすることができる。
【００５９】
また、収容部材２０の各面２１の外表面には、任意の模様や着色が施された印刷領域Ｐが設けられている。例えば、図１に示すように、正面２１Ａは、商品名２３や模様２４を含む印刷領域Ｐａが、正面２１Ａの略全域に設けられている。印刷領域Ｐは、収容部材２０の外表面（外側の面）にインク等によって着色（印刷）された領域であり、正面２１Ａには印刷領域Ｐａ、側面２１Ｂには印刷領域Ｐｂ、背面２１Ｃには印刷領域Ｐｃ、上面２１Ｄには印刷領域Ｐｄ、底面２１Ｅには印刷領域Ｐｅが設けられている。収容部材２０に印刷領域Ｐが設けられた領域には、収容部材２０の厚さ方向に隣接して、印刷された印刷層Ｐが設けられている。印刷領域Ｐによって、おむつ収容体１００やおむつ１０等に関する説明や特徴を表示したり、おむつ収容体１００の印象を向上させたりしている。
【００６０】
収容部材２０の外表面の少なくとも一部には、収容部材２０の外表面を保護するための塗料が塗装された保護層４０が設けられている。保護層４０は、収容部材２０の外表面が傷ついたり、破損したりする外部からの物理的な刺激を軽減させるため層である。本実施形態の保護層４０は、印刷層Ｐの厚さ方向の外側に設けられた、所謂ニスが塗布された層である。ニスには、収容部材２０等への接着性を担保するためのポリアミド系樹脂、ウレタン系樹脂、アクリル系樹脂、ニトロセルロース系樹脂等の少なくとも１つ以上の樹脂成分と、各成分を溶かすためのアルコール、トルエン、ベンゼン等の少なくとも１つ以上の有機溶剤と、各成分の分散性を良くための酸化防止剤等の助剤が含まれている。ニスの塗布によって構成された保護層４０は、透明な層であるため、印刷領域Ｐの外表面（厚さ方向における外側）にニスからなる保護層４０を設けることで、外部からの物理的な刺激によって、収容部材２０の損傷及び印刷領域Ｐの印刷が剥がれてしまう恐れを軽減させることができる。
【００６１】
＜＜外層５０について＞＞
第１実施形態のおむつ収容体１００について説明する。図４は、第１実施形態の展開状態の収容部材２０である。図５Ａは、図４中のＡ−Ａにおける断面の構成を説明する模式図であり、図５Ｂは、図４中のＢ−Ｂにおける断面の構成を説明する模式図である。図４の収容部材２０は、図１に示すおむつ収容体１００の収容部材２０の各接合部２２の接合を剥がし、展開した状態を示している。図４の展開状態の収容部材２０において、図柄や着色等の印刷が施された印刷領域Ｐをドット状のハッチングで示し、印刷が施されていない非印刷領域Ｎには、ハッチングで示していない。収容部材２０のうち、正面２１Ａ、一対の側面２１Ｂ、及び背面２１Ｃの略全域が印刷領域Ｐであり、上面２１Ｄと底面２１Ｅは、印刷領域Ｐと非印刷領域Ｎを備えている。なお、収容部材２０のうち、側面２１Ｂと連続する面２１Ｆ及び面２１Ｇは、図１の収容状態の収容部材２０では、折り込まれて、それぞれ上面２１Ｄ及び底面２１Ｅの内側に位置する面となる。
【００６２】
図５Ａに示すように、印刷領域Ｐが設けられた領域は、収容部材２０の外表面に重なるように印刷層Ｐが設けられている。また、図５Ｂに示すように、取っ手領域Ｈにおいて、シート部材３０が重ねられた領域は、収容部材２０の外表面に重なるようにシート部材３０が設けられている。
【００６３】
おむつ収容体１００は、収容部材２０の外表面の少なくとも一部に重なる外層５０を有する。外層５０は、抗菌・抗ウイルス剤５１を備える層であり、抗菌・抗ウイルス剤５１とは、細菌やウイルス等の微生物の繁殖を抑制する機能を有する物質であり、本実施形態では、抗菌剤であり、且つ抗ウイルス剤である。本実施形態の外層５０は、略均一な状態で抗菌・抗ウイルス剤５１を有している。第１実施形態のおむつ収容体１００は、図５Ａに示すように、収容部材２０の外表面に重なるように、印刷層Ｐを介して外層５０が重ねられており、外層５０は、抗菌・抗ウイルス剤５１を有するだけでなく、保護層４０を構成する塗料が混ぜられた保護層４０でもある。また、収容部材２０の外表面とは、図１に示すような収容状態において、おむつ１０と接触しない収容部材２０の外側の表面をいう。一般的に、おむつ収容体１００の収容部材２０の外表面側は不特定多数の人間が触れやすい部分である。そのため、収容部材２０の外表面の少なくとも一部に重なる外層５０を備えることで、安心・安全なおむつ１０の提供が可能となる。
【００６４】
一方、収容部材２０の内表面には、抗菌・抗ウイルス剤５１が設けられていないことが好ましい。収容部材の内表面とは、図１に示すような収容状態において、おむつ１０が接触可能な収容部材２０の内側の表面をいう。収容部材２０の内表面に抗菌・抗ウイルス剤５１が設けられていないことで、収容状態で、おむつ１０と抗菌・抗ウイルス剤５１とが接触する恐れを軽減させることができる。例えば、おむつ１０のように人間（生物）の身体に装着される物品の場合に、使用者等が、抗菌・抗ウイルス剤５１が付着したおむつ１０を着用（使用）すると、抗菌・抗ウイルス剤５１が着用者（使用者）の肌の常在菌を減少させて、着用者（使用者）に肌荒れを生じさせてしまう恐れがある。そのため、収容部材２０の内表面に抗菌・抗ウイルス剤５１を設けないことで、おむつ１０と抗菌・抗ウイルス剤５１とが接触することを避けて、おむつ１０の安全性を向上させることができる。
【００６５】
また、収容部材２０が樹脂で形成されていることが好ましい。本実施形態では、収容部材２０は、ポリエチレン（ＰＥ）からなる樹脂フィルムであり、抗菌・抗ウイルス剤５１等の物質を通しにくい素材である。そのため、収容部材２０の外表面側に設けた外層５０の抗菌・抗ウイルス剤５１が収容部材２０の素材を通して収容部材２０の内側に浸透してしまう恐れを軽減させることができる。これによって、収容部材２０の内側に収容されたおむつ１０と抗菌・抗ウイルス剤５１とが接触する恐れを軽減し、おむつ１０の安全性を向上させることができる。
【００６６】
図１及び図４に示すように、収容部材２０が、収容部材２０が抗菌剤及び抗ウイルス剤を備えることを示す図柄として抗菌・抗ウイルスマーク２５を有する。抗菌・抗ウイルスマーク２５とは、抗菌機能及び抗ウイルス機能を有することを示す図柄であり、例えば、抗菌及び抗ウイルスという文字を有する図柄や、抗菌に関する公的又は民間の機関による認証を受けたことを証明するための図柄である。収容部材２０が抗菌・抗ウイルスマーク２５を備えることで、使用者等は、おむつ収容体１００が抗菌機能及び抗ウイルス機能を有していることを認識することができる。
【００６７】
厚さ方向において、外層５０が抗菌・抗ウイルスマーク２５より外側に設けられていることが好ましい。本実施形態では、抗菌・抗ウイルスマーク２５は、商品名２３や模様２４と同じように印刷によって設けられており、印刷領域Ｐの一部として設けられているため、抗菌・抗ウイルスマーク２５は、印刷層Ｐに設けられている。そのため、厚さ方向において、外層５０が抗菌・抗ウイルスマーク２５より外側に設けられている。これによって、おむつ収容体１００の外表面の抗菌性及び抗ウイルス性を向上させつつ、おむつ収容体１００が抗菌機能を備えていることを使用者等に認識させやすくなる。また、厚さ方向における外層５０より内側に抗菌・抗ウイルス剤５１が付着する恐れを軽減させることができるため、収容されたおむつ１０の安全性を向上させることができる。さらに、厚さ方向において、印刷領域Ｐにおける抗菌・抗ウイルスマーク２５より外側に外層５０（保護層４０）を設けることで、外部からに刺激等により抗菌・抗ウイルスマーク２５が破損して認識されにくくなる恐れを軽減することができ、より確実に使用者等に抗菌・抗ウイルスマーク２５を認識させやすくなる。
【００６８】
抗菌・抗ウイルスマーク２５は、おむつ収容体１００の上下方向における中央より上側に設けられていることが好ましい。本実施形態では、図１に示すように、抗菌・抗ウイルスマーク２５は、正面２１Ａの上側端部、且つ左右方向の一方側の端部に設けられており、おむつ収容体１００の、上下方向における中央より上側を領域Ｔ１、中央より下側を領域Ｔ２とした場合に、抗菌・抗ウイルスマーク２５が領域Ｔ１に設けられている。おむつ収容体１００では、取っ手領域Ｈが上下方向における中央より上側に設けられていることが一般的である。そのため、抗菌・抗ウイルスマーク２５を領域Ｔ１に設けることで、使用者等がおむつ収容体１００を手で掴む際に抗菌・抗ウイルスマーク２５を認識しやすくなる。
【００６９】
さらに、収容部材２０に収容される物品が、おむつ１０のようにホットメルト接着剤等の接着剤を備える着用物品であっても、外層５０が収容部材２０の外表面側に設けられていることで、抗菌・抗ウイルス剤５１とおむつ１０（着用物品）とが接触する恐れを軽減することができ、抗菌・抗ウイルス剤５１と接着剤とが接触する恐れを軽減させることができる。そのため、抗菌・抗ウイルス剤５１と接着剤とが相互に作用して、おむつ１０等に悪影響を及ぼす恐れを少なくし、収容部材２０に収容される物品（おむつ１０）の安全性を向上させることができる。
【００７０】
図４には、外層５０が設けられた領域を太線で囲んで示している。上述のとおり、本実施形態の外層５０は、抗菌・抗ウイルス剤５１だけでなく、塗料（ニス）が混ぜられ、印刷領域Ｐを保護する保護層４０でもある。図５Ａに示すように、厚さ方向において、収容部材２０の外側に隣接して印刷領域Ｐが設けられた領域に、印刷領域Ｐの外側に隣接して、外層５０（保護層４０）が設けられている。これによって、外層５０は、収容部材２０の外表面の抗菌機能及び抗ウイルス機能を高めるだけでなく、収容部材２０の外表面の物理的な刺激を軽減させることができる。また、おむつ収容体１００の製造過程では、塗料（ニス）及び抗菌・抗ウイルス剤５１を備える外層５０を形成することで、保護層４０が形成されることになるため、保護層４０を形成する工程と、外層５０を形成する工程の２工程を経る必要がなくなり、おむつ収容体１００の製造をより簡素化することができる。
【００７１】
外層５０の抗菌・抗ウイルス剤５１は、無機化合物（無機系抗菌剤、無機系抗ウイルス剤）であることが好ましい。無機化合物は、一般的に生物に対して有害であることが少ないため、抗菌性及び抗ウイルス性を向上させつつ、生物やおむつ１０の安全性を向上させることができる。また、無機系抗菌剤及び無機系抗ウイルス剤は、有機系抗菌剤及び有機系抗ウイルス剤より抗菌機能及び抗ウイルス機能を発揮することができる対象物が多く、細菌・カビ・酵母・ウイルス等に対して効果を発揮することができる。また、無機系抗菌剤及び無機系抗ウイルス剤は、有機系抗菌剤及び有機系抗ウイルス剤より抗菌機能及び抗ウイルス機能の持続期間が長い。さらに、無機系抗菌剤及び無機系抗ウイルス剤は、水、熱等によって蒸発・分解する恐れが低く、有機溶媒等によって溶出する可能性も低い。そのため、無機系抗菌剤及び無機系抗ウイルス剤は、有機系抗菌剤及び有機系抗ウイルス剤より、取扱いが容易であり、且つ、生物に対してより安全であるため、収容されるおむつ１０の安全性を向上させることができる。抗菌・抗ウイルス剤５１としては、例えば、Ａｇ、Ｍｎ、Ｆｅ、Ｃｏ、Ｎｉ、Ｃｕ、Ｚｎ、ゼオライト、酸化チタンなどの無機物を含む化合物が好ましい、本実施形態では、銀イオンを含む抗菌剤且つ抗ウイルス剤を用いている。
【００７２】
上述のとおり、収容部材２０の厚さ方向において、外層５０が、印刷領域Ｐの外側に隣接して設けられている場合でも、抗菌・抗ウイルス剤５１を無機化合物（無機系抗菌剤及び無機系抗ウイルス剤）とすることで、抗菌・抗ウイルス剤５１が印刷領域Ｐのインクと反応したり、インクの付着を阻害したりする恐れが少ない。また、外層５０と、インクによって印刷された印刷領域Ｐとの接着性が低下する恐れも低い。この外層５０が、印刷領域Ｐに接触した状態で印刷領域Ｐを覆うことができるため、収容部材２０の外部の抗菌機能及び抗ウイルス機能を発揮しつつ、印刷領域Ｐを保護することができる。
【００７３】
さらに、図４に示すように、収容部材２０の底面２１Ｅが、非印刷領域Ｎであって、外層５０を設けない領域を有することがより好ましい。本実施形態では、底面２１Ｅの非印刷領域Ｎには、外層５０（保護層４０）を設けていない。一般的に、おむつ収容体１００の状態のうち、収容部材２０の底面２１Ｅは、人が触れる機会が少ない部分であり、視認される機会が少ない部分である。そのため、底面２１Ｅに、外層５０を設けない領域が存在することで、おむつ収容体１００に用いる抗菌・抗ウイルス剤５１（外層５０を構成するための材料）を減少させることができる。また、底面２１Ｅの非印刷領域Ｎによって、インクの使用量を削減し、印刷を保護するための保護層４０を設ける必要が少ないため、塗料（ニス）の使用量を削減し、且つ、底面Ｅの非印刷領域Ｎに外層５０を設けないことで、おむつ収容体１００の製造コストを削減することができる。
【００７４】
また、収容部材２０の厚さ方向に沿って見た場合に、接合部２２の少なくとも１つと、外層５０とが重ならないことが好ましい。本実施形態では、収容部材２０の厚さ方向に見て、各接合部２２ａ〜２２ｃと印刷領域Ｐとが重なっておらず、各接合部２２ａ〜２２ｃと外層５０とが重なっていない。外層５０の抗菌・抗ウイルス剤５１によって接合部２２における接合強度が低下してしまう恐れを軽減することができる。本実施形態では、樹脂（ＰＥ）から形成された収容部材２０であり、熱及び圧力を加えて、樹脂同士を溶解させて接合している。この樹脂に抗菌・抗ウイルス剤５１が含まれると、抗菌・抗ウイルス剤５１が不純物となり、その接合強度が低下してしまう恐れがある。特に、おむつ収容体１００の底面２１Ｅにおける接合部２２ｃは、おむつ収容体１００に収容されたおむつ１０を保持するための接合部であるため、収容部材２０の接合部２２の中で最も強固な接合が求められる部分である。そのため、収容部材２０の厚さ方向に沿って見た場合に、底面２１Ｅに設けられた接合部２２ｃと外層５０とが重ならないことがより好ましい。
【００７５】
なお、本実施形態では、印刷領域Ｐと重なる領域に外層５０を設けたが、これに限られない。印刷領域Ｐが設けられていない領域に外層５０を設けてもよい。また、本実施形態では、外層５０に塗料（ニス）を混ぜて、外層５０を保護層４０としたが、これに限られない。例えば、印刷領域Ｐのインクに抗菌・抗ウイルス剤５１を混ぜて、印刷領域Ｐを外層５０としてもよい。さらに、本実施形態では、外層５０が塗料（ニス）を有する保護層４０でもあったが、必ずしも塗料を含む必要はなく、外層５０が抗菌・抗ウイルス剤５１及びその溶媒のみからなる層であってもよく、厚さ方向において、収容部材２０の外表面に隣接して外層５０を設け、外層５０の外表面に印刷層Ｐを設けてもよい。
【００７６】
また、第１実施形態では、抗菌・抗ウイルスマーク２５をおむつ収容体１００の上下方向における中央より上側（領域Ｔ１）に設けたが、抗菌・抗ウイルスマーク２５をおむつ収容体１００の上下方向における中央より下側（領域Ｔ２）に設けてもよい。収容状態のおむつ収容体１００からおむつ１０を取り出す際には、おむつ収容体１００の上部から取り出すことが一般的である。そのため、おむつ１０を取り出すにつれて、おむつ収容体１００の上側（領域Ｔ１）の収容部材２０は、その形状が変形しやすい。特に、図１に示すように、収容部材２０内におむつ１０を上下方向に複数個重ねて収容している場合には、上側に収容されたおむつ１０を取り出すと、上側の収容部材２０が変形しやすい一方で、下側の収容部材２０の形状は維持したままとなりやすい。そのため、抗菌・抗ウイルスマーク２５を領域Ｔ２に設けることで、領域Ｔ２は、領域Ｔ１よりも収容部材２０の形状を維持しやすいため、抗菌・抗ウイルスマーク２５を使用者等に認識させやすくなる。
【００７７】
さらに、第１実施形態では、おむつ収容体１００の上部に切り取り線Ｌを備える取っ手領域Ｈを設けたが、必ずしもこれに限らない。例えば、直方体のおむつ収容体１００の上部に、１枚のシートが円弧を形成するように貼付された取っ手部を形成させてもよく、取っ手領域Ｈを備えない構成でもよい。また、取っ手領域Ｈに必ずしもシート部材３０を備えなくても良い。
【００７８】
＝＝＝第２実施形態＝＝＝
＜＜おむつ収容体１００＞＞
第２実施形態のおむつ収容体１００について説明する。収容部材２０におむつ１０が収容された状態の第２実施形態のおむつ収容体１００の外観（図１）は、第１実施形態と同じであり、第１実施形態の構成と共通する部分は、符号等を同じとし、おむつ１０及び収容部材２０の基本構成の詳細な説明は省略する。
【００７９】
＜＜外層５０について＞＞
図６は、第２実施形態の展開状態の収容部材２０である。図７Ａは、図６中のＡ−Ａにおける断面の構成を説明する模式図である。図７Ｂは、図６中のＢ−Ｂにおける断面の構成を説明する模式図である。図６の収容部材２０は、図１に示すおむつ収容体１００の収容部材２０の各接合部２２の接合を剥がし、展開した状態を示している。図６において、図柄や着色等の印刷が施された印刷領域Ｐをドット状のハッチングで示し、印刷が施されていない非印刷領域Ｎには、ハッチングで示していない。第１実施形態と同様に、収容部材２０のうち、正面２１Ａ、一対の側面２１Ｂ、及び背面２１Ｃの略全域は、印刷領域Ｐであり、上面２１Ｄと底面２１Ｅは、印刷領域Ｐと非印刷領域Ｎを備えている。なお、収容部材２０のうち、側面２１Ｂと連続する面２１Ｆ及び面２１Ｇは、図１の収容状態の収容部材２０では、折り込まれて、それぞれ上面２１Ｄ及び底面２１Ｅの内側に位置する面となる。
【００８０】
図７Ａに示すように、印刷領域Ｐが設けられた領域は、収容部材２０の外表面に重なるように印刷層Ｐが設けられ、印刷層Ｐの外表面に重なるように、ニス等の透明な塗料が塗られた保護層４０が設けられている。また、図７Ｂに示すように、取っ手領域Ｈにおいて、シート部材３０が重ねられた領域は、収容部材２０の外表面に重なるようにシート部材３０が設けられている。
【００８１】
第２実施形態のおむつ収容体１００は、収容部材２０の外表面の少なくとも一部に重なる外層５０を有し、具体的には、収容部材２０の外表面に、収容部材２０の外側から貼付されたシート部材３０の少なくとも一部が外層５０である。シート部材３０が抗菌・抗ウイルス剤５１を備える。抗菌・抗ウイルス剤５１は、第１実施形態と同様の物質を用いることができる。シート部材３０は、図柄や着色等の印刷が施されていない、白色の矩形状のポリエチレン（ＰＰ）の樹脂シートであり、収容部材２０の取っ手領域Ｈの正面側に貼付されている。このシート部材３０が抗菌・抗ウイルス剤５１を備えることで、外層５０となっている。図６において、外層５０が設けられた領域を太線で囲んで示しており、シート部材３０の全域が外層５０である。抗菌・抗ウイルス剤５１としては、第１実施形態と同じものを用いることができる。収容部材２０の外表面に、外側から貼付されたシート部材３０を外層５０とすることで、シート部材３０を貼付した部分の収容部材２０の強度を向上させつつ、収容部材２０の外表面に抗菌機能及び抗ウイルス機能を付与することができる。
【００８２】
この外層５０は、図７Ｂに示すように、シート部材３０を構成する材料に抗菌・抗ウイルス剤５１が混ぜられていることが好ましい。本実施形態のシート部材３０は、シート部材３０を構成する材料に略均一に全域に亘って抗菌・抗ウイルス剤５１が混ぜられていることで、シート部材３０の内部に抗菌・抗ウイルス剤５１を備える構成となっている。抗菌・抗ウイルス剤５１がシート部材３０に混ぜられていることで、収容部材２０の外表面の抗菌性又は抗ウイルス性を向上させつつ、収容部材２０に収容されたおむつ１０と直接接触する機会を軽減させられるため、安全・安心なおむつ１０を使用者等に提供することができる。
【００８３】
図６等に示すように、抗菌・抗ウイルス剤５１を備えたシート部材３０（外層５０）が、取っ手領域Ｈに配置されることが好ましい。取っ手領域Ｈは、使用者等の手で掴む部分であるため、より抗菌性及び抗ウイルス性が求められる。また、取っ手領域Ｈに切り取り線Ｌ（取っ手部）を形成することで、剛性が低下しやすいところ、取っ手領域Ｈは、取っ手部を掴まれておむつ収容体１００を引き上げられることから、破損しやすい部分でもある。そのため、抗菌・抗ウイルス剤５１を備えたシート部材３０が取っ手領域Ｈに設けられることで、取っ手領域Ｈの剛性を向上させつつ、取っ手領域Ｈに抗菌性及び抗ウイルス性を付与することができるため、より安心・安全なおむつ収容体１００とすることができる。
【００８４】
また、シート部材３０の坪量が、収容部材２０の坪量より大きいことが好ましい。これによって、シート部材３０の剛性が高くなり、シート部材３０（外層５０）が収容部材２０に抗菌機能及び抗ウイルス機能を付与しつつ、収容部材２０の強度をより向上させることができる。また、シート部材３０は、接合部２２ａと接合部２２ｂで収容部材２０に熱及び圧力を加えて溶着しているところ、シート部材３０の坪量を高くすることで、シート部材３０に抗菌・抗ウイルス剤５１という不純物が加えられていても、シート部材３０と収容部材２０との接合をより強固にすることができる。
【００８５】
本実施形態においても、第１実施形態と同様に、収容部材２０が抗菌・抗ウイルスマーク２５を有し、厚さ方向において、外層５０（シート部材３０）が、抗菌・抗ウイルスマーク２５より外側に設けられていることが好ましい。厚さ方向において、外層５０を抗菌・抗ウイルスマーク２５より外側に設けることで、外層５０を抗菌・抗ウイルスマーク２５より内側に設けた場合よりも、収容されたおむつ１０に抗菌・抗ウイルス剤５１が付着する恐れを軽減させることができる。
【００８６】
また、収容部材２０の厚さ方向に沿って見た場合に、抗菌・抗ウイルスマーク２５が、シート部材３０と重ならないことが好ましい。本実施形態では、抗菌・抗ウイルスマーク２５は、正面２１Ａの上側端部、且つ左右方向の一方側の端部に設けられており、シート部材３０は、上面２１Ｄの上部に設けられた取っ手領域Ｈに設けられているため、抗菌・抗ウイルスマーク２５とシート部材３０とが、収容部材２０の厚さ方向に見て重なっていない。厚さ方向において抗菌・抗ウイルスマーク２５とシート部材３０とが重ねらないことで、抗菌・抗ウイルスマーク２５がシート部材３０で覆い隠されて、使用者等に認識されにくくなる恐れを軽減させることができる。
【００８７】
さらに、抗菌・抗ウイルスマーク２５が、取っ手領域Ｈ以外の領域に設けられていることがより好ましい。本実施形態では、取っ手領域Ｈには抗菌・抗ウイルスマーク２５が設けられておらず、正面２１Ａに設けられている。取っ手領域Ｈは、使用者等の手で掴まれる部分であるため、収容部材２０の形状が変形しやすい。そのため、抗菌・抗ウイルスマーク２５を取っ手領域Ｈ以外の場所に設けることで、収容部材２０の変形によって抗菌・抗ウイルスマーク２５が視認しづらくなってしまう恐れを軽減させることができる。
【００８８】
なお、第２実施形態では、取っ手領域Ｈの補強を目的として設けたシート部材３０を、抗菌・抗ウイルス剤５１備える外層５０としたが、これに限られない。外層５０としてのシート部材３０を収容部材２０の任意の位置に貼付する構成であってもよい。
【００８９】
また、第２実施形態では、シート部材３０の全域を外層５０としたが、これに限られない。シート部材３０の少なくとも一部が外層５０を備える構成であってもよい。
【００９０】
第２実施形態では、抗菌・抗ウイルス剤５１が混ぜられたシート部材３０を、図柄や着色が施されていない白色の樹脂シートとしたが、これに限られない。例えば、抗菌・抗ウイルス剤５１が混ぜられた外層５０としてのシート部材３０の外表面に、図柄や着色等の印刷を施した印刷層を形成してもよく、図柄や着色等の印刷の外表面にさらにニス等の透明の塗料を塗布した保護層を形成してもよい。
【００９１】
第２実施形態では、取っ手領域Ｈ以外の場所に抗菌・抗ウイルスマーク２５を設けたが、これに限られない。例えば、取っ手領域Ｈに抗菌・抗ウイルスマーク２５を設けてもよい。取っ手領域Ｈは、使用者等が取っ手部を掴む際に視認しやすい部分であるため、抗菌・抗ウイルスマーク２５を視認する機会が多くなり、抗菌・抗ウイルスマーク２５が認識されやすくなる。このとき、取っ手領域Ｈに設けた抗菌・抗ウイルスマーク２５が、厚さ方向において、シート部材３０と重ならないことが好ましい。
【００９２】
＝＝＝第３実施形態＝＝＝
＜＜おむつ収容体１００＞＞
第３実施形態のおむつ収容体１００について説明する。収容部材２０におむつ１０が収容された状態の第３実施形態のおむつ収容体１００の外観（図１）は、第１実施形態と同じであり、第１実施形態及び第２実施形態と共通する部分は、符号等を同じとし、おむつ１０及び収容部材２０の基本構成の詳細な説明は省略する。
【００９３】
＜＜外層５０について＞＞
図８は、第３実施形態の展開状態の収容部材２０である。図８の収容部材２０は、図１に示すおむつ収容体１００の収容部材２０の各接合部２２の接合を剥がし、展開した状態を示している。図８において、図柄や着色等の印刷が施された印刷領域Ｐをドット状のハッチングで示し、印刷が施されていない非印刷領域Ｎには、ハッチングで示していない。第１実施形態と同様に、収容部材２０のうち、正面２１Ａ、一対の側面２１Ｂ、及び背面２１Ｃの略全域は、印刷領域Ｐであり、上面２１Ｄと底面２１Ｅは、印刷領域Ｐと非印刷領域Ｎを備えている。なお、図８に示す展開状態の収容部材２０のうち、側面２１Ｂと連続する面２１Ｆ及び面２１Ｇは、図１の収容状態の収容部材２０では、折り込まれて、それぞれ上面２１Ｄ及び底面２１Ｅの内側に位置する面となる。
【００９４】
本実施形態のおむつ収容体１００は、収容部材２０の外表面の少なくとも一部に重なる外層５０を有する。本実施形態では、厚さ方向において、収容部材２０の外側に隣接して印刷領域Ｐが設けられた領域に、印刷領域Ｐの外側に隣接して外層５０（保護層４０）を有し、且つ、シート部材３０が外層５０でもある。図８において、第３実施形態における外層５０が設けられた領域を太線で囲んで示している。なお、図８中のＡ−Ａにおける断面の構成は図５Ａに示す構成と同じであり、図８中のＢ−Ｂにおける断面の構成は図７Ｂに示す構成と同じである。
【００９５】
収容部材２０の外表面のうち、印刷領域Ｐには、印刷領域Ｐの外側から、ニス等の透明な塗料と抗菌・抗ウイルス剤５１とが混ぜられた外層５０（保護層４０）が隣接して設けられている。これによって、印刷領域Ｐの印刷を保護しつつ、収容部材２０に抗菌機能及び抗ウイルス機能を付与することができる。また、収容部材２０の外表面うち、取っ手領域Ｈには、シート部材３０としての外層５０が設けられている。このシート部材３０を構成する材料には、抗菌・抗ウイルス剤５１が混ぜられ、シート部材３０は、内部に抗菌・抗ウイルス剤５１を備えた構成となっている。抗菌・抗ウイルス剤５１は、第１実施形態と同様の物質を用いることができる。これによって、取っ手領域Ｈの剛性を強化しつつ、人が触れる機会が多い取っ手領域Ｈに抗菌機能及び抗ウイルス機能を付与することができる。このように、異なる構成の外層５０を適宜配置することで、おむつ収容体１００の抗菌性及び抗ウイルス性を向上させることができる。
【００９６】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００９７】
上述の実施形態において、外層５０をそれぞれ印刷領域Ｐ又はシート部材３０の全域に設けたが、これに限られない。印刷領域Ｐ又はシート部材３０の少なくとも一部に外層５０を設けるものであってもよい。また、外層５０に、抗菌・抗ウイルス剤５１を多く設ける領域と、抗菌・抗ウイルス剤５１を少なく設ける領域とを設けても良い。さらに、収容部材２０の外表面の少なくとも一部に外層５０を設け、厚さ方向における外層５０の外側に、抗菌・抗ウイルス剤５１を備えたシート部材３０（外層５０）を設けてもよい。
【００９８】
上述の実施形態においては、複数のおむつ１０が収容部材２０に収容されたおむつ収容体１００としたが、これに限られない。１つの収容部材２０に、１つの物品（おむつ１０）が収容された物品収容体であってもよい。
【００９９】
上述の実施形態においては、抗菌・抗ウイルスマーク２５を商品名２３や模様２４と同様に印刷によって設け、印刷領域Ｐに設けられていることにしたが、これに限られない。例えば、抗菌・抗ウイルスマーク２５を付したシール等の別部材を収容部材２０の外表面側に設けてもよい。
【０１００】
上述の実施形態では、おむつ収容体１００が、抗菌・抗ウイルス剤５１（抗菌剤及び抗ウイルス剤）を有する外層５０を備える構成としたが、これに限られない。おむつ収容体１００が、抗菌剤又は抗ウイルス剤の少なくとも一方を有する外層を備える構成であってもよい。また、上述の実施形態では、抗菌剤及び抗ウイルス剤を備えることを示す図柄として抗菌・抗ウイルスマーク２５を収容部材２０に設けたが、これに限られない。おむつ収容体１００が、抗菌剤を備える場合には、抗菌剤を備えることを示す図柄を設けてもよく、おむつ収容体１００が、抗ウイルス剤を備える場合には、抗ウイルス剤を備えることを示す図柄を設けてもよい。
【符号の説明】
【０１０１】
１０  使い捨ておむつ（物品、着用物品、おむつ）、
１１  吸収体、
１２  吸収性コア、
１３  肌側シート、
１４  防漏シート、
１５  非肌側シート、
１６  サイドシート、
１７  ファスニングテープ、
２０  収容部材、
２１  面、
２１Ａ  正面、
２１Ｂ  側面、
２１Ｃ  背面、
２１Ｄ  上面、
２１Ｅ  底面、
２２ａ  接合部、
２２ｂ  接合部、
２２ｃ  接合部、
２３  商品名、
２４  模様、
２５  抗菌・抗ウイルスマーク（抗菌剤及び抗ウイルス剤を備えることを示す図柄）、
３０  シート部材、
４０  保護層、
５０  外層、
５１  抗菌・抗ウイルス剤、
１００  おむつ収容体（使い捨ておむつの収容体、物品収容体）
ＢＨ  胴回り開口部、
ＬＨ  脚回り開口部、
Ｈ  取っ手領域、
Ｌ  切り取り線、
Ｐ  印刷領域（印刷層）、
Ｎ  非印刷領域
【要約】
【課題】物品収容体の抗菌性又は抗ウイルス性を向上させつつ、収容される物品の安全性を向上させる。
【解決手段】生物に装着される物品又は生物の体内に取り込まれる物品と、前記物品（１０）を収容する収容部材（２０）と、前記収容部材の外表面の少なくとも一部に重なるように設けられ、抗菌剤又は抗ウイルス剤を有する外層と、を備えることを特徴とする物品収容体（１００）である。
【選択図】図１【図１】
0006909916.tif 000002
【図２】
0006909916.tif 000003
【図３】
0006909916.tif 000004
【図４】
0006909916.tif 000005
【図５】
0006909916.tif 000006
【図６】
0006909916.tif 000007
【図７】
0006909916.tif 000008
【図８】
0006909916.tif 000009